(57)【要約】【課題】長期に亘って劣化がなく、弾性を維持可能な車輪を備えた電気掃除機を提案する。【解決手段】電気掃除機１の後輪１８は、ホイール部４８と、タイヤ部４９とから構成される。ホイール部４８には、掃除機本体２の車輪取付孔４６に回動自在に嵌め込まれた車軸部５０が設けられる。車軸部５０の中心は穿孔されて、電動送風機室３７と、ホイール部４８の内部空間Ｓとを連通させる。ホイール部４８の外周面にはホイール排気口５２が穿孔される。タイヤ部４９は、ホイール部４８の外周面を覆うように設けられる。タイヤ部４９は、ホイール排気口５２から吐出される電動送風機１３の排気の圧力によって膨らまされる。【選択図】  図３
2010075505.tif 000002
【特許請求の範囲】
【請求項１】
掃除機本体と、
前記掃除機本体に収容された電動送風機と、
前記掃除機本体に回動自在に軸支された車輪とを備え、
前記車輪は、
前記電動送風機の排気が導入される排気風路を有する車軸が設けられるとともに、外周面に排気口を有するホイール部と、
前記ホイール部の外周面を覆い、通気性を有し、前記排気口から吐出された空気で膨らまされるタイヤ部とを備えたことを特徴とする電気掃除機。
【請求項２】
前記車輪は、掃除機本体の側面に設けられ、
前記ホイール部は、外周面および側面に排気口を有し、
前記タイヤ部は、前記ホイール部の外周面および側面を覆うことを特徴とする請求項１に記載の電気掃除機。
【請求項３】
前記タイヤ部は、可塑剤非移行性の材料で形成されたことを特徴とする請求項１または２に記載の電気掃除機。
【発明の詳細な説明】
【技術分野】
【０００１】
本発明は、中空のタイヤを有する車輪を備えた電気掃除機に関する。
【背景技術】
【０００２】
一般に、電気掃除機は、電動送風機と、塵埃分離集塵部とが収容された掃除機本体を備える。掃除機本体には、移動のための車輪が設けられる。
【０００３】
従来の電気掃除機の車輪は、合成樹脂製のホイール部と、このホイール部の外周面に設けられ、ゴムなどのエラストマで形成されたタイヤ部とを備える。
【０００４】
従来の電気掃除機の車輪は、タイヤ部の材料に、エラストマを用いることで、掃除機本体走行時の被掃除面の損傷を防ぐ。
【０００５】
また、掃除機本体に発生する振動の防振や、掃除機本体が被掃除面の段差を乗り越えるときの衝撃加重の吸収のために、エラストマで形成された中空のタイヤ部を備えた電気掃除機が知られる（例えば、特許文献１参照）。
【特許文献１】実開平５−２９８０１号公報
【発明の開示】
【発明が解決しようとする課題】
【０００６】
従来の電気掃除機では、タイヤ部にエラストマを用いており、タイヤ部が長期間に亘って被掃除面に接していると可塑剤の移行で被掃除面を汚染する虞があった。また、従来の電気掃除機では、エラストマが劣化によって粘着性を有し、タイヤ部にゴミが付着する虞があった。
【０００７】
さらに、エラストマを用いた中空のタイヤ部では、材料の経時的な劣化によって中空部分が押しつぶされ、振動や衝撃の吸収ができなくなる虞があった。
【０００８】
本発明では、長期に亘って劣化がなく、弾性を維持可能な車輪を備えた電気掃除機を提案する。
【課題を解決するための手段】
【０００９】
前記の課題を解決するため本発明では、掃除機本体と、前記掃除機本体に収容された電動送風機と、前記掃除機本体に回動自在に軸支された車輪とを備え、前記車輪は、前記電動送風機の排気が導入される排気風路を有する車軸が設けられるとともに、外周面に排気口を有するホイール部と、前記ホイール部の外周面を覆い、通気性を有し、前記排気口から吐出された空気で膨らまされるタイヤ部とを備えたことを特徴とする。
【発明の効果】
【００１０】
本発明によれば、長期に亘って劣化がなく、弾性を維持可能な車輪を備えた電気掃除機を提案できる。
【発明を実施するための最良の形態】
【００１１】
本発明に係る電気掃除機の実施形態について図１から図７を参照して説明する。
【００１２】
図１は、本発明に係る電気掃除機の外観を示した斜視図である。
【００１３】
図１に示すように、本実施形態に係る電気掃除機１は、掃除機本体２と、集塵ホース３と、手元操作管４と、把持部５と、操作部６と、延長管７と、吸込口体８とを備える。
【００１４】
掃除機本体２には接続口２ａが形成される。掃除機本体２の内部には、接続口２ａに連通された集塵室１０が形成される。掃除機本体２の前方上部には、蓋ケース１１が設けられる。蓋ケース１１は、集塵室１０の上部を開閉自在に覆う蓋である。集塵室１０には集塵袋１２が着脱自在に収容される。また、掃除機本体２には、電動送風機１３が収容される。電動送風機１３は、集塵室１０に連通される。掃除機本体２は、電源コード１４を備える。電源コード１４の自由端部には、電源プラグ１５が形成される。
【００１５】
集塵ホース３は可撓性を有し、湾曲可能な細長略円筒状に形成される。集塵ホース３の一端は接続口２ａに着脱可能に接続されて、掃除機本体２の内部に連通される。
【００１６】
手元操作管４の一端は集塵ホース３の他端に設けられ、集塵ホース３を介して掃除機本体２の内部に連通される。
【００１７】
把持部５は電気掃除機１の使用者が把持して電気掃除機１を操作するものである。把持部５は手元操作管４の他端部から、集塵ホース３が設けられた手元操作管４の一端部に向かって、湾曲させて突設される。
【００１８】
操作部６は把持部５に設けられる。操作部６が電気掃除機１の使用者に操作されると、電気掃除機１は複数の駆動モードに設定される。操作部６は電気掃除機１の運転を停止させる切スイッチ６ａや電気掃除機１の運転を開始させる起動スイッチ６ｂなどを有する。
【００１９】
延長管７は、伸縮可能な細長略円筒状に形成される。延長管７の一端は手元操作管４の他端に着脱可能に接続されて、手元操作管４および集塵ホース３を介して掃除機本体２の内部に連通される。
【００２０】
吸込口体８は、延長管７の一端に着脱可能に接続されて、延長管７、手元操作管４および集塵ホース３を介して掃除機本体２の内部に連通される。
【００２１】
電気掃除機１を運転すると、電動送風機１３が作動して、掃除機本体２の内に負圧が作用する。この負圧は接続口２ａから集塵ホース３と手元操作管４と延長管７とを経て吸込口体８に作用する。そうすると、電気掃除機１は吸込口体８から空気とともに床などの被掃除面に溜まった塵埃を吸い込んで被掃除面を掃除する。吸込口体８に吸い込まれた含塵空気は、掃除機本体２に収容された集塵袋１２によって空気と塵埃とに分離される。分離された塵埃は集塵袋１２に集塵される。他方、分離された空気は、電動送風機１３に吸い込まれる。
【００２２】
図２は、本発明に係る電気掃除機の掃除機本体を示した縦断面図である。
【００２３】
ここで、掃除機本体２の前進方向（図２中、実線矢Ｘ）を前方、その反対方向を後方とする。また、掃除機本体２の後から前を見たときに左側（図２中、実線矢Ｙ）を左方、その反対方向を右方とする。さらに、掃除機本体２の前後方向および左右方向に直交する右手座標系の＋Ｚ方向を上方とし、その反対方向を下方とする。
【００２４】
図２に示すように、電気掃除機１の掃除機本体２は、前方下部中央に設けられた前輪１７と、後方下部の両側に設けられた一対の後輪１８とを有する。前輪１７は、掃除機本体２の上下方向に回転軸芯を有する回動軸１９回りに回動自在な支持アーム２０に設けられる。
【００２５】
掃除機本体２の後部には、電動送風機１３が収容される。掃除機本体２の前部には、集塵袋１２が収容された集塵室１０が形成される。電動送風機１３が収容された空間と、集塵室１０との間は、第二フィルタ装置２２が支持された仕切板２３によって区画される。
【００２６】
掃除機本体２の前方上部には、開閉自在な蓋ケース１１が設けられる。蓋ケース１１を開くと集塵室１０から集塵袋１２を取り出せる。
【００２７】
集塵袋１２は、開口２７ａを有する口枠部２７と、口枠部２７に設けられ、通気性を有する袋体部２８とを備える。集塵袋１２は、口枠部２７の平坦面を集塵室１０の前壁３０に向けて配置される。
【００２８】
集塵室１０の前壁３０には、集塵袋１２の口枠部２７を着脱自在に固定するクランプ３１が設けられる。
【００２９】
掃除機本体２の前端部には、接続口２ａを有する接続管３２が設けられ、集塵ホース３の端部に設けられた連結管部３５が挿抜自在に挿入される。接続管３２は、集塵袋１２の開口２７ａに気密に連通される。連結管部３５の先端は、集塵室１０の内部に突出し、さらに集塵袋１２の開口２７ａに差込まれ、袋体部２８の内部を臨む。
【００３０】
電動送風機１３の作動によって集塵室１０に負圧が作用すると、集塵袋１２の袋体部２８と、口枠部２７の開口２７ａとを経て集塵ホース３に負圧が作用する。これによって吸込口体８から吸い込まれた含塵空気は、集塵袋１２内に導入される。
【００３１】
図３は、本発明に係る電気掃除機の掃除機本体を示した平断面図である。
【００３２】
図３に示すように、電気掃除機１の掃除機本体２の後部には、電動送風機１３が収容された電動送風機室３７と、コードリール３８が収容されたコードリール室３９とが並設される。
【００３３】
電動送風機１３は、モータ部４１と、モータ部４１によって駆動される遠心ファン部４２とを備える。遠心ファン部４２の吸込口４３は、集塵室１０に連通され、排気口４４は、電動送風機室３７内に配置される。
【００３４】
電動送風機室３７は、掃除機本体２の後方両側部に形成された車輪取付孔４６に連通される。
【００３５】
コードリール３８は、合成樹脂材料で形成される。コードリール３８には、電源コード１４が巻き取られる。コードリール３８は、電源コード１４を巻き取る方向へ付勢され、コードリール室３９に回動自在に軸支される。
【００３６】
コードリール室３９は、掃除機本体２の後部に形成された電源コード１４の引出口（図示省略）を有する。
【００３７】
図４は、本発明に係る電気掃除機の後輪を示した断面図である。
【００３８】
図３および図４に示すように、電気掃除機１の後輪１８は、掃除機本体２の後方側部に設けられ、回動自在に軸支される。後輪１８は、ホイール部４８と、タイヤ部４９とから構成される。
【００３９】
ホイール部４８は、合成樹脂材料を用いて、中空の有底円筒状に形成される。ホイール部４８の掃除機本体２を拝む側面の中央部には、掃除機本体２の車輪取付孔４６に回動自在に嵌め込まれた車軸部５０が設けられる。車軸部５０の中心は穿孔されて、掃除機本体２の電動送風機室３７と、ホイール部４８の内部空間Ｓとを連通させる排気風路が形成される。車軸部５０には、車輪取付孔４６の周縁部が係止される爪部５１が設けられる。ホイール部４８の外周面にはホイール排気口５２が穿孔される。
【００４０】
タイヤ部４９は、ホイール部４８の外周面を覆うように設けられる。タイヤ部４９は、ホイール部４８の側面の外周縁に沿って、全周に亘って固着される。タイヤ部４９は、ホイール排気口５２から吐出される電動送風機１３の排気の圧力によって膨らまされる。タイヤ部４９は、通気性を有するとともに、ホイール排気口５２から吐出される電動送風機１３の排気の圧力によって、後輪１８の径方向外側に向けて膨出する材料を用いて形成される。タイヤ部４９の材料は、可塑剤非移行性の材料で通気性を有する、例えば、木綿などの布や、不織布などの材料が用いられる。タイヤ部４９は、膨出できるように、ホイール部４８の外周面よりも余裕を持って、弛んだ状態で取り付けられる。なお、タイヤ部４９は、袋状に形成してもよい。
【００４１】
電動送風機１３が作動すると、電動送風機１３の排気口４４から吐出された排気は、電動送風機室３７からホイール部４８の車軸部５０の排気風路を通ってホイール部４８の内部空間Ｓに導入される。内部空間Ｓに導入された排気は、ホイール排気口５２からタイヤ部４９に吐出され、タイヤ部４９を膨出させる。膨出されたタイヤ部４９は、後輪１８の外周面を形成し、ホイール部４８を持ち上げる。タイヤ部４９を膨出させた空気は、タイヤ部４９の表面から掃除機本体２の外部に排気される（図３中、実線矢）。
【００４２】
図５は、本発明に係る電気掃除機の後輪を示した断面図である。
【００４３】
図５に示すように、電気掃除機１の後輪１８は、電動送風機１３の排気の供給が遮断されると、タイヤ部４９がホイール部４８を覆った状態で萎む。
【００４４】
図６は、本発明に係る電気掃除機の掃除機本体の他の例を示した平断面図である。
【００４５】
図７は、本発明に係る電気掃除機の後輪の他の例を示した断面図である。
【００４６】
図６および図７に示すように、電気掃除機１の後輪１８Ａは、掃除機本体２の後方側部に設けられ、回動自在に軸支される。後輪１８Ａは、ホイール部４８Ａと、タイヤ部４９Ａとから構成される。
【００４７】
ホイール部４８Ａは、中空の有底円筒状に形成される。ホイール部４８Ａの外周面および掃除機本体２の外方に位置された側面には、ホイール排気口５２Ａが穿孔される。
【００４８】
タイヤ部４９Ａは、ホイール部４８Ａの外周面および掃除機本体２の外方に位置された側面を覆うように設けられる。タイヤ部４９Ａは、ホイール部４８Ａの掃除機本体２を拝む側面の外周縁に沿って、全周に亘って固着される。タイヤ部４９Ａは、ホイール排気口５２Ａから吐出される電動送風機１３の排気の圧力によって膨らまされる。タイヤ部４９Ａは、通気性を有するとともに、ホイール排気口５２から吐出される電動送風機１３の排気の圧力によって、後輪１８の径方向外側および掃除機本体２の外方に向けて膨出する。
【００４９】
電動送風機１３が作動すると、電動送風機１３の排気口４４から吐出された排気は、電動送風機室３７からホイール部４８Ａの車軸部５０の排気風路を通ってホイール部４８Ａの内部空間Ｓに導入される。内部空間Ｓに導入された排気は、ホイール排気口５２Ａからタイヤ部４９Ａに吐出され、タイヤ部４９Ａを膨出させる。膨出されたタイヤ部４９Ａは、後輪１８Ａの外周面を形成し、ホイール部４８Ａを持ち上げるとともに、掃除機本体２の側方にバンパを形成する。タイヤ部４９を膨出させた空気は、タイヤ部４９Ａの表面から掃除機本体２の外部に排気される（図６中、実線矢）。
【００５０】
図８は、本発明に係る電気掃除機の後輪の他の例を示す断面図である。
【００５１】
図８に示すように、電気掃除機１の後輪１８Ａは、電動送風機１３の排気の供給が遮断されると、タイヤ部４９Ａがホイール部４８Ａを覆った状態で萎む。
【００５２】
本実施形態に係る電気掃除機１によれば、電動送風機１３の排気を利用して、タイヤ部４９、４９Ａのタイヤ圧を保つことができるので、振動の防振や、衝撃荷重を抑制できるとともに、被掃除面を損傷させることもない。
【００５３】
また、本実施形態に係る電気掃除機１によれば、電気掃除機１の運転の度に、タイヤ部４９、４９Ａは満遍なく膨らむので、経時によって緩衝効果に劣化がない。
【００５４】
さらに、本実施形態に係る電気掃除機１によれば、電動送風機１３の排気は、タイヤ部４９、４９Ａを通過することで緩やかに吐出され、掃除機本体２の排気が直接使用者等に当たって不快感を与えたり、被掃除面のゴミ等が舞い上がったりすることもなく、電動送風機１３の排気に由来する騒音の発生の緩和もできる。
【００５５】
さらにまた、本実施形態に係る電気掃除機１によれば、電動送風機１３の排気に含まれるカーボンなどの微粒子をタイヤ部４９、４９Ａで捕集できるので、掃除機本体２の排気は清浄に保たれる。
【００５６】
また、本実施形態に係る電気掃除機１によれば、電動送風機１３が停止してタイヤ部４９、４９Ａのタイヤ圧が供給されていなくても、ホイール部４８、４８Ａは、タイヤ部４９、４９Ａで覆われるので、電気掃除機１の使用準備や片付け、保管時にホイール部４８、４８Ａで被掃除面や保管場所を損傷させることもない。
【００５７】
さらに、本実施形態に係る電気掃除機１によれば、被清掃面に接するタイヤ部４９は、布や不織布などの可塑剤非移行性の材料で形成できるので、被掃除面を汚染したり、劣化による粘着性を有したりすることもない。
【００５８】
さらにまた、本実施形態に係る電気掃除機１によれば、後輪１８Ａは、掃除機本体２の側方に突出させてバンパを有するため、掃除機本体２の移動にともなって壁面などを損傷させることもない。
【００５９】
したがって、本発明に係る電気掃除機１によれば、長期に亘って劣化がなく、弾性を維持可能な車輪を備えることができる。
【００６０】
なお、本発明に係る電気掃除機１は、キャニスタ型の電気掃除機１に限らず、アップライト型、スティック型、あるいはハンディ型などの電気掃除機１であってもよい。
【図面の簡単な説明】
【００６１】
【図１】本発明に係る電気掃除機の外観を示した斜視図。
【図２】本発明に係る電気掃除機の掃除機本体を示した縦断面図。
【図３】本発明に係る電気掃除機の掃除機本体を示した平断面図。
【図４】本発明に係る電気掃除機の後輪を示した断面図。
【図５】本発明に係る電気掃除機の後輪を示した断面図。
【図６】本発明に係る電気掃除機の掃除機本体の他の例を示した平断面図。
【図７】本発明に係る電気掃除機の後輪の他の例を示した断面図。
【図８】本発明に係る電気掃除機の後輪の他の例を示す断面図。
【符号の説明】
【００６２】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
１０  集塵室
１１  蓋ケース
１２  集塵袋
１３  電動送風機
１４  電源コード
１５  電源プラグ
１７  前輪
１８、１８Ａ  後輪
１９  回動軸
２０  支持アーム
２２  第二フィルタ装置
２３  仕切板
２７  口枠部
２７ａ  開口
２８  袋体部
３０  前壁
３１  クランプ
３２  接続管
３５  連結管部
３７  電動送風機室
３８  コードリール
３９  コードリール室
４１  モータ部
４２  遠心ファン部
４３  吸込口
４４  排気口
４６  車輪取付孔
４８、４８Ａ  ホイール部
４９、４９Ａ  タイヤ部
５０  車軸部
５１  爪部
５２、５２Ａ  ホイール排気口
【図１】
2010075505.tif 000003
【図２】
2010075505.tif 000004
【図３】
2010075505.tif 000005
【図４】
2010075505.tif 000006
【図５】
2010075505.tif 000007
【図６】
2010075505.tif 000008
【図７】
2010075505.tif 000009
【図８】
2010075505.tif 000010